(57)【要約】【課題】本考案は良好な放熱性能、防水性能を具える金属ハウジング封止のＬＥＤ光源モジュールを提供する。【解決手段】本考案に係る金属ハウジング封止のＬＥＤ光源モジュールは、光源モジュールを形成するＬＥＤを含み、金属回路板をＬＥＤの担体とするが、前記ＬＥＤの端子は前記金属回路板の配線層の上に溶接されており、該配線層には電源入出線がさらに接続し且つ前記金属回路板を覆う防水絶縁接着層が付着しており、該防水絶縁接着層は前記ＬＥＤの端子及び前記電源入出線の溶接点を共に内部に封じさせ、前記金属回路板の金属基板上には放熱板が熱伝導的に連結されている。【選択図】図１
0003131144.tif 000002
【実用新案登録請求の範囲】
【請求項１】
光源モジュールを形成するＬＥＤを含む金属ハウジング封止のＬＥＤ光源モジュールであって、金属基板と該金属基板上に設けられている配線層から形成される金属回路板をＬＥＤの担体として用い、前記ＬＥＤの端子は前記金属基板上の配線層と接続し、該配線層には電源入出線がさらに接続し且つ前記金属回路板を覆う防水絶縁接着層が付着しており、前記金属回路板の金属基板の上には放熱板が熱伝導的に連結されていることを特徴とする金属ハウジング封止のＬＥＤ光源モジュール。
【請求項２】
前記防水絶縁接着層は、前記金属回路板の上部の全体を覆い、前記ＬＥＤの端子及び電源入出線の溶接点を全部封じることを特徴とする請求項１に記載の金属ハウジング封止のＬＥＤ光源モジュール。
【請求項３】
前記防水絶縁接着層はエポキシ樹脂層であることを特徴とする請求項１又は２のいずれかに記載の金属ハウジング封止のＬＥＤ光源モジュール。
【請求項４】
前記放熱板の表面整体にはフィン又は筋状物が形成されていることを特徴とする請求項１又は２のいずれかに記載の金属ハウジング封止のＬＥＤ光源モジュール。
【請求項５】
前記放熱板の周辺は前記金属回路板の方向に向かって倒転して、該金属回路板を収容する開口ボックスを形成し、該ボックス全体の開口端部は前記防水絶縁接着層により封止されることを特徴とする請求項１又は２のいずれかに記載の金属ハウジング封止のＬＥＤ光源モジュール。
【請求項６】
前記放熱板と前記金属回路板の金属基板の間には熱伝導接着剤が粘着されていることを特徴とする請求項５に記載の金属ハウジング封止のＬＥＤ光源モジュール。
【請求項７】
前記ＬＥＤは差込式ＬＥＤであって、それの発光ヘッドは前記ボックスの側面から張出することを特徴とする請求項１〜６のいずれかに記載の金属ハウジング封止のＬＥＤ光源モジュール。
【請求項８】
前記ＬＥＤは貼付式ＬＥＤであることを特徴とする請求項１〜７のいずれかに記載の金属ハウジング封止のＬＥＤ光源モジュール。
【考案の詳細な説明】
【技術分野】
【０００１】
本考案はＬＥＤ（発光ダイオード）を光源とする照明装置に係り、特に、ビルボード、道路標識等の戸外用の掲示板に装着されて、その掲示板が発光効果を有すようにするＬＥＤ光源モジュールに関するものである。
【背景技術】
【０００２】
最近では、ビルボード、道路標識等内置されるＬＥＤ光源モジュールが知られている。それらのＬＥＤ光源モジュールは構造上に放熱及び防水等の機能を考慮しなく、ただ簡単的にＬＥＤをＰＣＢ板に差込んでから、また該ＰＣＢ板を防水性があまりよくないプラスチック製のハウジングに装入するだけであり、更には、ハウジングさえも無い場合もある。これにより、現在のＬＥＤ光源モジュールは、放熱が不良で耐湿性も悪いため、信頼性及び耐用寿命等の方面において、あまり理想的でない。
【考案の開示】
【考案が解決しようとする課題】
【０００３】
本考案は、良好な放熱性能及び防水性能を有するＬＥＤ光源モジュールを提供することを目的とする。
【課題を解決するための手段】
【０００４】
次に、本考案の実施形態に基づいて、ＬＥＤ光源モジュールを説明する。本考案の実施形態に係るＬＥＤ光源モジュールは、金属回路板をＬＥＤの担体とし、ＬＥＤの端子は前記金属回路板の配線層の上に溶接されており、該配線層には電源入出線がさらに接続し且つ前記金属回路板を覆う防水絶縁接着層が付着しており、該防水絶縁接着層は前記ＬＥＤの端子及び前記電源入出線の溶接点を共に内部に封じさせ、前記金属回路板の金属基板上には放熱板が熱伝導的に連結されている。ここで、前記金属回路板全体及び前記ＬＥＤの端子と前記電源入出線の溶接点が全部前記防水絶縁接着層に覆われたため、該防水絶縁接着層からの保護を受けることができて、前記ＬＥＤ光源モジュールは良好な放熱性能を具備するようになる。一方、ＬＥＤからの熱は前記金属回路板を介して前記放熱板まで伝導され、また該放熱板から発散されることができて、前記ＬＥＤ光源モジュールは良好な放熱性能を具備するようになる。
【０００５】
このため、本考案の実施形態に係る良好な放熱性能を有するＬＥＤ光源モジュールは、ＬＥＤの安全で、高強度の連続な作動を確保し、また良好な防水性能を加えて、該光源モジュール全体を戸外でより安全的に長時間の作業を行うようにし、更に、ＬＥＤ光源モジュールの信頼性及び耐用寿命を向上させるが、その耐用寿命は１０万時間に達することができる。
【考案を実施するための最良の形態】
【０００６】
第一実施形態
図１に示すように、本実施形態に係るＬＥＤ光源モジュールは差込式ＬＥＤ１と、金属回路板２と、金属ハウジング放熱板３とを備える。前記金属回路板２は配線層２ａと、金属基板２ｂとを備え、該配線層２ａと金属基板２ｂは互いに電気絶縁になっている。前記差込式ＬＥＤ１は前記金属回路板２を担体とし、該ＬＥＤ１の端子は前記金属回路板２の配線層２ａ上に接続されている。該線層２ａには電源入出線４、５が更に接続されている。複数のＬＥＤ光源モジュールは前記電源入出線４、５を介して直列し、二つのＬＥＤ光源モジュールの間は市場で売っている防水接線設備により接続することができる。ここで、前記ＬＥＤ１の数量、配置方式及び配線層２ａの具体的な回路図は実際の需要に従って自由に設定することができる。また、前記配線層２ａには前記回路板２の全体を覆う防水絶縁接着層６が付着されている。該防水絶縁接着層６は、前記ＬＥＤ１の端子及び電源入出線４、５の溶接点を内部に一緒に封じている。本実施形態において、前記防水絶縁接着層６はエポキシ樹脂であることが好ましい。また、前記金属回路板２の金属基板２ｂ上の放熱板３は、例えばアルミニウム等の熱抵抗が低い金属から形成される。前記放熱板３の形状も自由に設定することができて、四角形等の各種の形状を取っても良く、更には、該放熱板３の表面は平面形状に限らず、該表面にフィン、筋状物等の構造（図示せず）を形成しても良くて、これにより放熱性能をより一層高める。本実施形態において、前記放熱板３の周辺は、前記金属回路板２の方向を向かって倒転して、該金属回路板を収容する開口ボックスを形成するが、該ボックス全体の開口端部は前記防水絶縁接着層により封止されている。この様な構造において、放熱板３は保護ハウジングにもなって、前記ＬＥＤ光源モジュールをもっと堅固させ、更により良好な防水性能を有するようにする。また、本実施形態において、放熱効果をより一層向上させるため、前記放熱板３と金属回路板の金属基板２ｂの間に、例えば伝熱的なシリコン接着剤などの熱伝導接着剤７を粘着することができる。また、本実施形態において、ＬＥＤの発光角度が小さいため、前記発光ヘッド１ａは前記ボックスの側面から張出する。これにより、側面から発光できるＬＥＤの光源モジュールを形成することができる。このようなＬＥＤの光源モジュールは、使用時、前記道路標識の内側面に据付けられて、前記ＬＥＤの発光ヘッドと前記道路標識の出光面を相反するようにさせ、前記ＬＥＤからの光が、前記掲示板の出光面から直接射出されなく、前記掲示板の内表面による複数の拡散反射（diffuse reflection）を通して、また前記出光面から射出されるようにして、前記掲示板の出光面上の光照度をより均一させる。一方で、前記ＬＥＤの光源モジュールを前記掲示板の内側面に据付けることは、ある時において、前記ＬＥＤの光源モジュールの放熱及び防水性能に役立っている。
【０００７】
第二実施形態
図２に示すように、本実施形態に係るＬＥＤ８は貼付式ＬＥＤである以外、その他の構造は前記実施形態と同じである。この様な構造によると、正面から発光すＬＥＤ光源モジュールを形成することができ、更に、該モジュールが最小の厚さを有するようにする。使用時、前記ＬＥＤ光源モジュールを掲示板の内底面に据付けることができて、ＬＥＤからの光が前記掲示板の出光面から直接透過するようにさせて、発光角度が大きい貼付式ＬＥＤの利点を十分に発揮させ、従って、光の損失を減少する。
【０００８】
更に、もう一つの実施形態として、ネジを用いて前記金属回路板と前記放熱板を連結させることができて、該金属回路板と該放熱板を緊密に接触するようにして、熱伝導的な接続を実現する。この様な方式において、短絡状況の発生を防止するため、前記ネジを前記金属回路板の配線層と接触しないように注意する必要がある。
【０００９】
以上の説明は本考案をもっと易く理解するために述べた実施形態であるが、本考案は前記説明に限らない。例えば、モジュール全体を据付けるために放熱板にネジ穴を形成することとか、又は、スプリングを用いて放熱板と金属回路板を挟み止めることとか、モジュールの形状を円形、四角形、帯状形等にすることとか、この様に、本考案の技術方案に基づいて、業界の普通の技術者により行ったいろんな変化又は変形は、すべて本考案の保護内容に属する。
【図面の簡単な説明】
【００１０】
【図１】図１は本考案の第一実施形態に係るＬＥＤ光源モジュールの構造模式図である。
【図２】図２は本考案の第二実施形態に係るＬＥＤ光源モジュールの構造模式図である。
【符号の説明】
【００１１】
１      ＬＥＤ
１ａ    ＬＥＤの発光ヘッド
２      金属回路板
２ａ    配線層
２ｂ    金属基板
３      放熱板
４      電源引入線
５      電源引出線
６      防水絶縁接着層
７      熱伝導接着剤
【図１】
0003131144.tif 000003
【図２】
0003131144.tif 000004